(57)【要約】【課題】  光定着器の副走査長を短くしてプリント時間の短縮を図る。【解決手段】  定着器は、ＬＥＤランプと、導光ロッド２２とから構成される。導光ロッド２２は、コア部材２５と、クラッド部材２６と、前記コア部材２５の周部の一部を軸方向に切り欠いて、コア部材２５とクラッド部材２６との間に空間を形成し、この空間に設けられた第１反射部材２７とを有する。ＬＥＤランプから発された定着光は、コア部材内部を進み、第１反射部材２７との境界面３１で乱反射する。乱反射光のうち一部が臨界角より小さい角度でクラッド部材２６に入射して透過し、さらに導光ロッドの外部に照射される。搬送路を搬送される記録紙は、照射された定着光により光定着される。【選択図】        図３
2005074687.tif 000002
【特許請求の範囲】
【請求項１】
搬送される感熱記録紙に向かって定着光を照射する光定着器において、
定着光を発する光源と、前記光源から発された定着光を端部から入射させ感熱記録紙に照射する導光ロッドとを備え、前記導光ロッドは、所定の屈折率をもつ材料で円柱状に形成されるコア部材と、前記所定の屈折率より低い屈折率をもつ材料でコア部材の外周面を密着して覆うように円筒状に形成されたクラッド部材と、前記コア部材の周部に軸方向に配置され、前記感熱記録紙に向けて定着光を反射する第１反射部材とを有することを特徴とする光定着器。
【請求項２】
前記第１反射部材は、光を乱反射させる光散乱物質が混入されており、前記コア部材から前記第１反射部材に入射する定着光を、前記コア部材との境界面付近において乱反射させることを特徴とする請求項１記載の光定着器。
【請求項３】
前記第１反射部材は、前記コア部材との境界面において微細な凹凸を設け、前記コア部材から前記境界面に入射する定着光を反射させ、クラッド部材へ臨界角より小さい角度で入射させることを特徴とする請求項１記載の光定着器。
【請求項４】
前記クラッド部材の外周面を覆うように円筒状に形成し、径方向の断面が略Ｃ字形状となるように円筒の一部を欠いて開口部を設けた第２反射部材を有することを特徴とする請求項１ないし３記載いずれか一つ記載の光定着器。
【請求項５】
請求項１ないし４いずれか一つ記載の光定着器を有する感熱プリンタにおいて、
前記導光ロッドの軸が感熱記録紙の搬送方向に交差するように前記搬送路の近傍に前記導光ロッドを配置し、前記搬送路近傍から外れた位置に光源を配置することを特徴とする感熱プリンタ。
【請求項６】
搬送される感熱記録紙に向かって定着光を照射する光定着器において、
前記定着光を発する光源と、一方の端部は束にされて前記光源から発される定着光が入射され、他方の端部は１列または複数列に並べられて定着光を照射する複数本の光ファイバを備えたライトガイドとを有することを特徴とする光定着器。
【請求項７】
請求項６記載の光定着器を有する感熱プリンタにおいて、
前記光ファイバの前記他方の端部が並べられた列の方向が、感熱記録紙の搬送方向に交差するように、前記搬送路の近傍に前記ライトガイドを配置し、前記搬送路近傍から外れた位置に前記光源を配置することを特徴とする感熱プリンタ。
【発明の詳細な説明】
【技術分野】
【０００１】
本発明は、光定着器及びこれを用いた感熱プリンタに関するものである。
【背景技術】
【０００２】
支持体上に上層から順にイエロー、マゼンタ、シアンの３つの感熱発色層が設けられたカラー感熱記録紙を用い、フルカラー画像を熱記録する感熱プリンタが知られている。この感熱プリンタは、カラー感熱記録紙の主走査方向に延びたサーマルヘッドを備えており、カラー感熱記録紙を副走査方向に搬送させながら、前記サーマルヘッドにより各感熱発色層を加熱して３色の画像を面順次に熱記録する。イエロー感熱発色層及びマゼンタ感熱発色層は、それぞれ特有な波長域の光に対する光定着性を備えており、カラー感熱記録紙は、各色の画像が熱記録された部分から順次光定着器に送られる。光定着器は、カラー感熱記録紙の記録面の全面に定着光を照射して光定着を施す。これにより、感熱発色層を熱記録する際に、未発色部分が発色してしまうことを防止している。
【０００３】
光定着器は、光源として直管型の蛍光ランプを使用するのが一般的である。このとき、熱記録後のイエロー画像を光定着する蛍光ランプと熱記録後のマゼンタ画像を光定着する蛍光ランプの２本が、副走査方向に並べられて搬送路近傍に配置される。しかし、光定着器の副走査長が長くなるため、プリント時間が長くなる傾向にあった。
【０００４】
そこで、プリント時間を短くするため、副走査長を短くできる光定着器の提案がなされている。この光定着器は、発光素子、例えばＬＥＤをアレイ状に集積配置した光源を使用している。発光素子アレイの照射面が１つの平面で構成され、この照射面がカラー感熱記録紙の搬送路と対向して配置される。（例えば、特許文献１）
【０００５】
【特許文献１】特許第３１５８０３７号
【発明の開示】
【発明が解決しようとする課題】
【０００６】
しかし、発光素子を集積配置した光源は、単位面積当りの消費電力が大きくなり、熱が発生して発光素子が劣化する。この問題の解決には、光源に高性能な放熱機構を設けることが考えられるが、コストが高くなる。また、発光素子の集積度には限界があるため、より一層の小型化は困難である。さらに、発光素子を集積配置した光源を用いる場合には、搬送路近傍に光源が配置されるため、光源の熱がカラー感熱記録紙に伝わって感熱発色が不安定になる。
【０００７】
本発明は、上記のような問題を生じさせることなく、副走査長が短く、また、光源の熱がカラー感熱記録紙に伝わりにくい光定着器、及びこれを用いた感熱プリンタを提供することを目的とする。
【課題を解決するための手段】
【０００８】
本発明は、搬送される感熱記録紙に向かって定着光を照射する光定着器に関し、定着光を発する光源と、前記光源から発された定着光を端部から入射させ感熱記録紙に照射する導光ロッドとを備え、前記導光ロッドは、所定の屈折率をもつ材料で円柱状に形成されるコア部材と、前記所定の屈折率より低い屈折率をもつ材料でコア部材の外周面を密着して覆うように円筒状に形成されたクラッド部材と、前記コア部材の周部に軸方向に配置され、前記感熱記録紙に向けて定着光を反射する第１反射部材とを有することを特徴とする。
【０００９】
前記第１反射部材は、光を乱反射させる光散乱物質が混入されており、前記コア部材から前記第１反射部材に入射する定着光を、前記コア部材との境界面付近において乱反射させることが好ましい。また、前記第１反射部材は、前記コア部材との境界面において微細な凹凸を設け、前記コア部材から前記第１反射部材に入射する定着光を、前記コア部材との境界面において乱反射させてもよい。乱反射光のうち一部が臨界角より小さい角度でコア部材からクラッド部材に入射して透過し、さらに導光ロッドの外部に照射される。
【００１０】
前記第１反射部材は、前記コア部材との境界面において微細な凹凸を設け、前記コア部材から前記境界面に入射する定着光を反射させ、クラッド部材へ臨界角より小さい角度で入射させてもよい。
【００１１】
前記クラッド部材の外周面を覆うように円筒状に形成し、径方向の断面が略Ｃ字形状となるように円筒の一部を欠いて開口部を設けた第２反射部材を設けるのが好ましい。
【００１２】
本発明は、上記の光定着器を有する感熱プリンタに関し、前記導光ロッドの軸が感熱記録紙の搬送方向に交差するように前記搬送路の近傍に前記導光ロッドを配置し、前記搬送路近傍から外れた位置に光源を配置することを特徴とする。なお、前記導光ロッドを配置する際には、第１反射部材がコア部材の外側になるようにするのが好ましい。
【００１３】
本発明の光定着器は、前記定着光を発する光源と、一方の端部は束にされて前記光源から発される定着光が入射され、他方の端部は１列または複数列に並べられて定着光を照射する複数本の光ファイバを備えたライトガイドとを有することを特徴とする。
【００１４】
本発明の感熱プリンタは、前記光ファイバの前記他方の端部が並べられた列の方向が、感熱記録紙の搬送方向に交差するように、前記搬送路の近傍に前記ライトガイドを配置し、前記搬送路近傍から外れた位置に前記光源を配置することを特徴とする。
【発明の効果】
【００１５】
本発明は、光源と、導光ロッドまたはライトガイドとから光定着器を構成したから、光定着器を感熱プリンタに配置する際に、搬送路近傍には導光ロッドまたはライトガイドのみを配置すればよく、光源は搬送路近傍から離れた場所に配置することができる。そのため、光源の熱が搬送路を搬送される感熱記録紙に伝わりにくくなり、画質の向上を図ることができる。
【００１６】
本発明では、導光ロッドを、コア部材、クラッド部材、第１反射部材により構成したため、導光ロッドの径を小さくできる。径を小さくした導光ロッドは、搬送路近傍へ配置する際、副走査方向に場所をとらない。そのため、記録紙を搬送する搬送路を短くすることができ、プリント時間が短縮される。また、ライトガイドを光ファイバを列に並べることにより構成したため、ライトガイドの照射面の一辺を短くできる。ライトガイドも、搬送路近傍へ配置する際、副走査方向に場所をとらないため、プリント時間が短縮される。
【発明を実施するための最良の形態】
【００１７】
［第１実施形態］
図１に示すように、感熱プリンタ２には長尺のカラー感熱記録紙３（以下、記録紙３）をロール状に巻いた記録紙ロール４が備えられている。記録紙ロール４には給紙ローラ５が接している。給紙ローラ５はパルスモータ７の駆動により回転し、給紙ローラ５が正回転すると記録紙ロール４から記録紙３が送り出され、給紙ローラ５が逆回転すると記録紙３が記録紙ロール４に巻き戻される。なお、以降では、記録紙３が送り出される方向を給紙方向と呼び、記録紙３が巻き戻される方向を巻き戻し方向と呼ぶ。
【００１８】
記録紙ロール４の近傍には、キャプスタンローラ８が設けられている。キャプスタンローラ８は、記録紙ロール４から送り出された記録紙３を給紙方向と巻き戻し方向に搬送する。記録紙３は搬送路９を搬送される。搬送路９は図示は省略しているが、ガイド板を有しており、記録紙９を水平方向に移動案内する。
【００１９】
キャプスタンローラ８の給紙方向下流側には、サーマルヘッド１１とプラテンローラ１２が搬送路９を挟んで対向して設けられている。サーマルヘッド１１は、多数の発熱素子を主走査方向にライン状に並べた発熱素子アレイ１３を備えている。サーマルヘッド１１は、発熱素子アレイ１３がプラテンローラ１２の周面に記録紙３を圧接する印画位置と、発熱素子アレイ１３がプラテンローラ１２の周面から離れる退避位置との間を移動する。
【００２０】
記録紙３は、周知のように、支持体上にシアン感熱記録層、マゼンタ感熱記録層、イエロー感熱記録層を順次設けて形成されている。各々の感熱記録層は、所定の熱エネルギーを加えると発色するように設計されている。イエロー感熱発色層が最も小さい熱エネルギーで発色し、シアン感熱発色層が最も大きい熱エネルギーで発色する。また、イエロー感熱発色層は、波長が約４２０ｎｍの近紫外光を照射されると未発色部分の発色能力を消失する。同様に、マゼンタ感熱発色層は、波長が約３６５ｎｍの紫外光を照射されると未発色部分の発色能力を消失する。
【００２１】
サーマルヘッド１１及びプラテンローラ１２の給紙方向下流側には、キャプスタンローラ１６が設けられている。キャプスタンローラ１６は、キャプスタンローラ８と同様の回転動作をする。キャプスタンローラ１６の給紙方向下流側には、カッタ１７が設けられている。カッタ１７は、記録紙３を所定のサイズにカットする。
【００２２】
カッタ１７の給紙方向下流側には、光定着器２０が設けられている。図２に示すように、光定着器２０は、ＬＥＤランプ２１と、導光ロッド２２とを有する。導光ロッド２２は、記録紙３の搬送方向に直交する主走査方向に延びて、かつ搬送路９の近傍に配置されている。また、ＬＥＤランプ２１は、導光ロッド２２の端面２２ａの近傍に設けられている。ＬＥＤランプ２１は、搬送路９から離れた位置に配置されるため、ＬＥＤランプ２１の熱は、搬送路９を搬送される記録紙３には伝わりにくい。
【００２３】
ＬＥＤランプ２１は、イエロー画像用ＬＥＤ（以下、Ｙ用ＬＥＤ）とマゼンタ画像用ＬＥＤ（Ｍ用ＬＥＤ）とがマトリクス状に並べられて構成されている。ＬＥＤランプ２１は、システムコントローラ（図示なし）からの指示に従って任意のＬＥＤを点灯させる。Ｙ用ＬＥＤが点灯すると、波長が約４２０ｎｍの近紫外光を照射し、Ｍ用ＬＥＤが点灯すると、波長が約３６５ｎｍの紫外光を照射する。
【００２４】
図３に示すように、導光ロッド２２は、コア部材２５、クラッド部材２６、第１反射部材２７、第２反射部材２８、反射板２９（図２及び図６参照）とから構成される。コア部材２５は、所定の屈折率をもつ材料で円柱状に形成されており、また、周面の一部を中心軸と平行に切り欠いて切り欠き面３０を形成している。クラッド部材２６は、コア部材２５の屈折率より低い屈折率をもつ材料で、コア部材２５の外周面に密着して覆うように円筒状に形成されている。
【００２５】
コア部材２５の切り欠き面３０とクラッド部材２６の内周面の一部とで囲まれる空間には、第１反射部材２７が設けられている。第１反射部材２７は、囲まれる空間を充填するように形成され、樹脂等の媒体に光を乱反射させる光散乱物質を混入させて構成される。光散乱物質を混入させる密度は、切り欠き面近傍で高くするのが好ましい。また、光散乱物質を混入させる密度は、乱反射した定着光が、導光ロッド外部へ照射される際、軸方向で照射強度が均一になるように、媒体の各領域に応じて変化させるのが好ましい。
【００２６】
第２反射部材２８は、クラッド部材２６の外周面を覆うように円筒状に形成された円筒部２８ａと、径方向の断面が略Ｃ字形状となるように円筒の一部を欠いて形成される開口部２８ｂとから構成される。第２反射部材２８は、開口部２８ｂがコア部材２５を挟んで第１反射部材２７と対向するようにクラッド部材２６の外周面に配置される。第２反射部材２８は、クラッド部材２６から第２反射部材２８に入射する光を反射させる。
【００２７】
反射板２９は、導光ロッド２２の端部２２ｂに設けられている。反射板２９は、コア部材２５及びクラッド部材２６から反射板２９に入射する光を反射させる。導光ロッド２２は、第２反射部材２８の開口部２８ｂが、搬送路９と対向するように設けられる。
【００２８】
なお、コア部材２５と第１反射部材２７との間に形成される面を境界面３１、コア部材２５とクラッド部材２６との間に形成される面を境界面３２、クラッド部材２６と第２反射部材２８との間に形成される面を境界面３３、コア部材２５と反射材２９との間に形成される面を境界面３４（図５参照）とする。境界面３３のうち、第２反射部材２８の円筒部２８ａに接する面を３３ａ、開口部２８ｂに開放された面を３３ｂとする。
【００２９】
光定着器２０の給紙方向下流側には、排紙ローラ３８と排出口３９が設けられている。排紙ローラ３８は、カットされた記録紙３を排出口３９へ搬送する。なお、上記したすべての動作は、システムコントローラ（図示なし）によって制御されている。
【００３０】
以下上記構成による作用について説明する。各動作は、図４のフローチャートに示す順に行われる。システムコントローラ（図示なし）によってプリント開始の指示が発せられると、図１に示す給紙ローラ５が正回転する。給紙ロール４から記録紙３が送り出されると、さらにキャプスタンローラ８が正回転し、記録紙３は続けて給紙方向に搬送される。記録紙３の記録エリアの先端が発熱素子アレイ１３に到達すると、搬送に合わせてサーマルヘッド１１が駆動し、記録紙３のイエロー感熱発色層を１ラインずつ発色させてゆく。最終的に記録エリアには、イエロー画像が記録される。
【００３１】
記録エリアの先端が光定着器２０の導光ロッド２２の近くに搬送されると、システムコントローラ（図示なし）からの指示により、図２に示すＬＥＤランプ２１のＹ用ＬＥＤが点灯する。Ｙ用ＬＥＤから照射された定着光は、導光ロッド２２の端面２２ａ、詳しくは、コア部材２５の端面に入射される。コア部材２５の内部に透過した定着光は、第１反射部材２７との境界面３１に入射することがなければ、クラッド部材２６との境界面３２で全反射しながらコア部材２５の内部を進んでゆく。
【００３２】
図５に示すように、コア部材２５の他方の端面まで進んだ定着光は、反射板２９との境界面３４で反射される。コア部材２５の内部を進んでゆく途中で、第１反射部材２７との境界面３１に入射した定着光は乱反射する。乱反射した定着光のうち、臨界角より大きい角度でクラッド部材２６との境界面３２に入射するものは、再び全反射する。乱反射した定着光のうち、臨界角より小さい角度で境界面３２に入射するものは、クラッド部材２６の内部に透過する。
【００３３】
クラッド部材２６の内部に透過した定着光は、外周面が第２反射部材２８の開口部２８ｂに開放された境界面３３ｂであるときには、外部に照射される。一方、外周面が第２反射部材２８の円筒部２８ａと接する境界面３３ａであるときには、反射され、境界面３２に入射し、コア部材２５の内部に透過する。
【００３４】
導光ロッド２２の外部へ進んだ定着光は、搬送路９を搬送される記録紙３の記録エリアの一部に照射される。上記の定着光は、イエロー感熱発色層の未発色部分の発色能力を消失させる。定着光の照射は、記録エリアの先端から後端まで行われる。イエロー画像の光定着を終えると、ＬＥＤランプ２１のＹ用ＬＥＤが消灯する。このようにしてイエロー画像の光定着が行われる。
【００３５】
イエロー画像の光定着の途中で、サーマルヘッド１１は、記録エリアの後端が発熱素子アレイ１１を過ぎた時点で駆動を停止し、退避位置に移動する。イエロー画像の光定着を終えると、キャプスタンローラ８、１６が逆回転し、記録紙３を巻き戻し方向に搬送する。記録エリアの先端が発熱素子アレイ１３より巻き戻し方向下流側に位置すると、キャプスタンローラ８、１６の駆動は停止する。
【００３６】
その後、イエロー画像の熱記録、光定着と同様に、マゼンタ画像の熱記録、光定着が行われる。ただし、イエロー画像の光定着の際には、ＬＥＤランプ２１のうちＹ用ＬＥＤを用いたのに対し、マゼンタ画像の光定着の際には、Ｍ用ＬＥＤを用いる。
【００３７】
また、イエロー画像、マゼンタ画像の熱記録と同様に、シアン画像の熱記録が行われる。シアン画像に関しては、再度高温度にさらされる可能性は低いため、光定着を省いている。
【００３８】
シアン画像の熱記録を終えると、記録エリアの後端がカッタ１７の近傍に位置するまで、記録紙３が給紙方向に搬送される。記録紙３がカッタ１７により切断された後、給紙方向下流側の記録紙３は、排紙ローラ３８によって搬送され、排出口３９から排出される。給紙方向上流側の記録紙は、次の記録エリアの先端が発熱素子アレイ１３よりも巻戻し方向下流側に位置するように巻き戻される。
【００３９】
これら一連の動作により、一枚のプリントが完了する。続けてプリントを行う場合には、上記の動作を繰り返す。
【００４０】
なお、上記実施形態では、光源は、Ｙ用ＬＥＤとＭ用ＬＥＤをマトリクス状に並べたＬＥＤランプ２１であり、定着光を直接導光ロッド２２の端部２２ａに照射していた。その替わりに、広範囲な波長を有する光を発するランプを用意し、その広範囲な波長の中から光定着に用いる波長を有する光を抽出し、抽出した定着光を導光ロッド２２の端部２２ａに導くような構成でもよい。
【００４１】
この場合において、光源４５は、図６に示すようにランプ４６、コールドミラー４７、短波長カットフィルタ４８、集光レンズ４９とから構成される。ランプ４６は、キセノンショートアークランプやメタルハライドランプ等とし、広範囲な波長を有する光を発するものとする。ランプ４６から発された光は、コールドミラー４７に照射され、赤外線領域以外の波長を有する光のみを導光ロッド２２に向けて反射させる。反射光は、集光レンズ４９を通すことで、導光ロッド２２の端面２２ａのサイズに合わせて集光され、端面２２ａに照射される。
【００４２】
コールドミラー４７と集光レンズ４９の間には、移動自在な短波長カットフィルタ４８が設けられている。短波長カットフィルタは、光路を横切るように挿入される挿入位置と、光路から退避する退避位置との間を移動する。挿入位置は実線で示し、退避位置は二点鎖線で示している。短波長カットフィルタ４８は、約４００ｎｍより短い波長の光をカットする。
【００４３】
図７に示すフローチャートから分かるように、短波長カットフィルタ４８は、イエロー画像の光定着の際にのみ挿入位置に移動する。短波長カットフィルタ４８を挿入することで、マゼンタ画像を光定着する波長を有する光をカットする。そして、イエロー画像を光定着する波長を有する光が導光ロッド２２の端部２２ａに照射される。マゼンタ画像の光定着の際には、短波長カットフィルタ４８を退避位置に移動させる。赤外線領域以外の広範囲な波長を有する光が照射されるが、この時点ではイエロー画像の光定着を終えているので問題にはならない。
【００４４】
なお、上記実施形態では、コア部材２５は周面を中心軸と平行に切り欠いて、切り欠き面３０を形成していたが、周面を中心軸と傾斜をもつように切り欠いて、切り欠き面３０を形成してもよい。この傾斜角を調節することで、効率よく定着光を記録紙３に照射することができる。
【００４５】
上記実施形態では、第１反射部材２７は、コア部材２５の切り欠き面３０とクラッド部材２６の内周面の一部とで囲まれる空間を充填するように形成され、樹脂等の媒体に光を乱反射させる光散乱物質を混入させて構成される。この替わりに、第１反射部材２７は、コア部材２５との境界面３１において微細な凹凸を設け、コア部材２５から境界面３１に入射する定着光を、乱反射させてもよい。
【００４６】
また、第１反射部材２７は、コア部材２５との境界面３１において微細な凹凸を設け、境界面３１において定着光を所定の角度に正反射させてもよい。微細な凹凸は、コア部材２５から境界面３１に入射する定着光を反射させ、クラッド部材２６との境界面３へ臨界角より小さい角度で入射させることができるように、凹凸の斜面の傾斜を算出して形成する。
【００４７】
第１反射部材２７は、コア部材２５の切り欠き面３０とクラッド部材の内周面の一部とで囲まれる空間を充填するように形成されているが、空間の一部に形成してもよい。例えば、切り欠き面３０に密着して覆うような板状に形成してもよい。
【００４８】
上記実施形態では、第２反射部材２８をクラッド部材２６に密着するように設けたが、クラッド部材２６から離れた位置に設けてもよい。また、第２反射部材２８は断面が略Ｃ字形状になるように形成したが、断面が略コ字形状等になるように形成してもよい。
【００４９】
［第２実施形態］
第２実施形態の感熱プリンタは、導光ロッド２２の替わりにライトガイド５６が配置され、それ以外の構成は、第１実施形態と同様である。図８に示すように、ライトガイド５６は、多数の光ファイバ５７、被覆膜５８、ヘッド枠５９から構成される。光ファイバ５７は、一方の端部５７ａは束にされて被覆膜５８で覆われ、他方の端部５７ｂは一列に並べられてヘッド枠５９に収められている。
【００５０】
ライトガイド５６は、端部５７ａが集合して形成する端面６０をＬＥＤランプ２１の近傍に、ヘッド枠５９は記録紙３の搬送路９の近傍に配置される。ＬＥＤランプ２１からの定着光は、端面６０から入射され、ヘッド枠５９の照射面５９ａから記録紙に照射される。
【００５１】
なお、上記実施形態では、光ファイバ５７をヘッド枠５９に一列に並べたが、複数列に並べてもよい。複数列に並べることにより、照射強度は大きくなる。
【図面の簡単な説明】
【００５２】
【図１】感熱プリンタの概略図である。
【図２】定着光を照射している光定着器の斜視図である。
【図３】導光ロッドの径方向の断面図である。
【図４】ＬＥＤランプを使用する場合の各種動作を示すフローチャートである。
【図５】導光ロッドの軸方向の断面において、一部の定着光の軌跡を示す説明図である。
【図６】別光源を用いたときの光定着器の平面概略図である。
【図７】広範囲な波長を有する光を発するランプを使用する場合の各種動作を示すフローチャートである。
【図８】第２実施形態における光定着器のライトガイドの斜視図である。
【図９】第２実施形態における定着光を照射している光定着器の斜視図である。
【符号の説明】
【００５３】
２    感熱プリンタ
３    カラー感熱記録紙
２０  光定着器
２１  ＬＥＤランプ
２２  導光ロッド
２５  コア部材
２６  クラッド部材
２７  第１反射部材
２８  第２反射部材
２８ｂ  開口部
２９  反射板
４５  光源
４６  ランプ
４７  コールドミラー
４８  短波長カットフィルタ
４９  集光レンズ
５６  ライトガイド
５７  光ファイバ
５８  被覆膜
５９  ヘッド枠
【図１】
2005074687.tif 000003
【図２】
2005074687.tif 000004
【図３】
2005074687.tif 000005
【図４】
2005074687.tif 000006
【図５】
2005074687.tif 000007
【図６】
2005074687.tif 000008
【図７】
2005074687.tif 000009
【図８】
2005074687.tif 000010
【図９】
2005074687.tif 000011